(57)【要約】【課題】本発明は安価に稼働使用電力量を提示する画像形成装置を提供する。【解決手段】画像形成装置１は、ＲＯＭ２２に、接続可能な負荷及び既に接続されている負荷の個々の動作状態毎の単位時間当たりの単位使用電力量を予め格納し、タイマ２４の計時する日時情報に基づいて、接続されている負荷の個々の動作状態毎の動作時間をＲＡＭ２３に記憶し、操作部２での表示指示操作に応じて、当該ＲＡＭ２３に記憶している動作時間とＲＯＭ２２の単位使用電力量に基づいて各負荷の個々の動作状態毎の稼働使用電力量を演算して積算し、ＲＡＭ２３に記憶するとともに、操作部２の表示部に当該稼働使用電力量を表示出力する。したがって、安価に使用電力量の目安を使用者に提供することができ、使用電力量の管理を安価に行うことができる。【選択図】          図１
2004276244.tif 000002
【特許請求の範囲】
【請求項１】
操作手段の指示操作に応じて、個々の負荷の動作に基づいて少なくとも画像を用紙に記録出力する画像形成動作を行う画像形成装置において、予め接続可能な負荷及び既に接続されている負荷の個々の動作状態毎の単位時間当たりの使用電力量が予め格納されている単位電力量記憶手段と、日時を計時するタイマ手段と、所定の表示手段と、稼働時間と積算された稼働使用電力量を記憶する稼働状態記憶手段と、前記タイマ手段の計時する日時情報に基づいて接続されている負荷の個々の動作状態毎の動作時間を前記稼働状態記憶手段に記憶し、前記操作手段での表示指示操作に応じて、当該稼働状態記憶手段に記憶している動作時間と前記単位電力量記憶手段の使用電力量に基づいて各負荷の個々の動作状態毎の稼働使用電力量を演算して積算し、前記稼働状態記憶手段に記憶するとともに、前記表示手段に当該稼働使用電力量を表示出力する制御手段と、を備えていることを特徴とする画像形成装置。
【請求項２】
操作手段の指示操作に応じて、個々の負荷の動作に基づいて少なくとも画像を用紙に記録出力する画像形成動作を行う画像形成装置において、予め接続可能な負荷及び既に接続されている負荷の個々の動作状態を所定の動作状態毎に分別して当該分別された動作状態毎の単位時間当たりの使用電力量が予め格納されている単位電力量記憶手段と、日時を計時するタイマ手段と、所定の表示手段と、稼働時間と積算された稼働使用電力量を記憶する稼働状態記憶手段と、前記タイマ手段の計時する日時情報に基づいて接続されている負荷の前記分別された動作状態毎の動作時間を前記稼働状態記憶手段に記憶し、前記操作手段での表示指示操作に応じて、当該稼働状態記憶手段に記憶している前記負荷の分別された動作状態毎の動作時間と前記単位電力量記憶手段の使用電力量に基づいて各負荷の個々の分別された動作状態毎の稼働使用電力量を演算して積算し、前記稼働状態記憶手段に記憶するとともに、前記表示手段に当該稼働使用電力量を表示出力する制御手段と、を備えていることを特徴とする画像形成装置。
【請求項３】
操作手段の指示操作に応じて、個々の負荷の動作に基づいて少なくとも画像を用紙に記録出力する画像形成動作を行う画像形成装置において、予め接続可能な負荷及び既に接続されている負荷の個々の動作状態を所定の動作状態毎に分別して当該分別された動作状態毎の単位時間当たりの使用電力量及び分別不可能な負荷の個々の動作状態毎の単位時間当たりの使用電力量が予め格納されている単位電力量記憶手段と、日時を計時するタイマ手段と、所定の表示手段と、稼働時間と積算された稼働使用電力量を記憶する稼働状態記憶手段と、前記タイマ手段の計時する日時情報に基づいて接続されている負荷の前記分別された動作状態毎の動作時間と前記分別不可能な負荷の動作状態毎の動作時間を前記稼働状態記憶手段に記憶し、前記操作手段での表示指示操作に応じて、当該稼働状態記憶手段に記憶している前記負荷の分別された動作状態毎の動作時間と前記分別不可能な負荷の動作状態毎の動作時間及び前記単位電力量記憶手段の使用電力量に基づいて各負荷の個々の分別された動作状態毎及び分別不可能な負荷の動作状態毎の稼働使用電力量を演算して積算し、前記稼働状態記憶手段に記憶するとともに、前記表示手段に当該稼働使用電力量を表示出力する制御手段と、を備えていることを特徴とする画像形成装置。
【発明の詳細な説明】
【０００１】
【発明の属する技術分野】
本発明は、画像形成装置に関し、詳細には、安価に稼働使用電力量を提示する画像形成装置に関する。
【０００２】
【従来の技術】
【特許文献１】
特開平７−１２９０４２号公報
環境保全の目的から、機器のエネルギー消費効率向上は近年重要になってきている。また、ユザー側にとっても、使用している機器のエネルキー管理は重要な課題となっている。
【０００３】
特に、従来、複写機、ファクシミリ装置及びプリンタ等の画像形成装置においては、発熱部分を有し、省エネルギ化が重要な問題となっているとともに、使用者にとっても、使用電力量の管理を行うようになってきている。
【０００４】
ところが、使用者の得ることのできる電力量の情報は、従来、製品に付属されている使用説明書やカタログ、または、製品に表示されている銘板に記載されている使用電力量の情報のみである。
【０００５】
したがって、使用者は、画像形成装置を実際に稼働させている状態での使用電力量を把握することができなかった。
【０００６】
そこで、従来、画像形成における使用電力量を計算手段で計算して表示手段に表示する画像形成装置が提案されている（特許文献１参照）。そして、この従来技術では、使用電力量を計算するのに、高価な電流検出手段を用いている。
【０００７】
【発明が解決しようとする課題】
しかしながら、このような従来技術にあっては、使用電力量を計算するのに、高価な電流検出手段を用いているため、画像形成装置が高価なものとなるという問題があった。
【０００８】
そこで、本発明は、安価な方法で使用電力量の目安を使用者に情報提供して、使用者側に使用電力量の管理を安価に行うことのできる画像形成装置を提供することを目的としている。
【０００９】
具体的には、請求項１記載の発明は、操作手段の指示操作に応じて、個々の負荷の動作に基づいて少なくとも画像を用紙に記録出力する画像形成動作を行うに際して、単位電力量記憶手段に、接続可能な負荷及び既に接続されている負荷の個々の動作状態毎の単位時間当たりの使用電力量を予め格納し、タイマ手段の計時する日時情報に基づいて、接続されている負荷の個々の動作状態毎の動作時間を稼働状態記憶手段に記憶し、操作手段での表示指示操作に応じて、当該稼働状態記憶手段に記憶している動作時間と稼働状態記憶手段の使用電力量に基づいて各負荷の個々の動作状態毎の稼働使用電力量を演算して積算し、稼働状態記憶手段に記憶するとともに、表示手段に当該稼働使用電力量を表示出力することにより、従来のように高価な電流検出計を用いることなく、安価に使用電力量の目安を使用者に提供して、使用電力量の管理を安価に行うことのできる画像形成装置を提供することを目的としている。
【００１０】
請求項２記載の発明は、操作手段の指示操作に応じて、個々の負荷の動作に基づいて少なくとも画像を用紙に記録出力する画像形成動作を行うに際して、単位電力量記憶手段に、接続可能な負荷及び既に接続されている負荷の個々の動作状態を所定の動作状態毎に分別して当該分別された動作状態毎の単位時間当たりの使用電力量を予め格納し、タイマ手段の計時する日時情報に基づいて、接続されている負荷の分別された動作状態毎の動作時間を稼働状態記憶手段に記憶し、操作手段での表示指示操作に応じて、当該稼働状態記憶手段に記憶している負荷の分別された動作状態毎の動作時間と稼働状態記憶手段の使用電力量に基づいて各負荷の個々の分別された動作状態毎の稼働使用電力量を演算して積算し、稼働状態記憶手段に記憶するとともに、表示手段に当該稼働使用電力量を表示出力することにより、従来のように高価な電流検出計を用いることなく、安価に使用電力量の目安を簡略化して使用者に提供して、使用電力量の管理を安価にかつ容易に行うことのできる画像形成装置を提供することを目的としている。
【００１１】
請求項３記載の発明は、操作手段の指示操作に応じて、個々の負荷の動作に基づいて少なくとも画像を用紙に記録出力する画像形成動作を行うに際して、単位電力量記憶手段に、接続可能な負荷及び既に接続されている負荷の個々の動作状態を所定の動作状態毎に分別して当該分別された動作状態毎の単位時間当たりの使用電力量及び分別不可能な負荷の個々の動作状態毎の単位時間当たりの使用電力量を予め格納し、タイマ手段の計時する日時情報に基づいて、接続されている負荷の分別された動作状態毎の動作時間と分別不可能な負荷の動作状態毎の動作時間を稼働状態記憶手段に記憶し、操作手段での表示指示操作に応じて、当該稼働状態記憶手段に記憶している負荷の分別された動作状態毎の動作時間と分別不可能な負荷の動作状態毎の動作時間及び稼働状態記憶手段の使用電力量に基づいて各負荷の個々の分別された動作状態毎及び分別不可能な負荷の動作状態毎の稼働使用電力量を演算して積算し、稼働状態記憶手段に記憶するとともに、表示手段に当該稼働使用電力量を表示出力することにより、従来のように高価な電流検出計を用いることなく、安価に使用電力量の目安を簡略化してかつ高精度に使用者に提供して、使用電力量の管理を安価にかつ適切に行うことのできる画像形成装置を提供することを目的としている。
【００１２】
【課題を解決するための手段】
請求項１記載の発明の画像形成装置は、操作手段の指示操作に応じて、個々の負荷の動作に基づいて少なくとも画像を用紙に記録出力する画像形成動作を行う画像形成装置において、予め接続可能な負荷及び既に接続されている負荷の個々の動作状態毎の単位時間当たりの使用電力量が予め格納されている単位電力量記憶手段と、日時を計時するタイマ手段と、所定の表示手段と、稼働時間と積算された稼働使用電力量を記憶する稼働状態記憶手段と、前記タイマ手段の計時する日時情報に基づいて接続されている負荷の個々の動作状態毎の動作時間を前記稼働状態記憶手段に記憶し、前記操作手段での表示指示操作に応じて、当該稼働状態記憶手段に記憶している動作時間と前記単位電力量記憶手段の使用電力量に基づいて各負荷の個々の動作状態毎の稼働使用電力量を演算して積算し、前記稼働状態記憶手段に記憶するとともに、前記表示手段に当該稼働使用電力量を表示出力する制御手段と、を備えることにより、上記目的を達成している。
【００１３】
上記構成によれば、操作手段の指示操作に応じて、個々の負荷の動作に基づいて少なくとも画像を用紙に記録出力する画像形成動作を行うに際して、単位電力量記憶手段に、接続可能な負荷及び既に接続されている負荷の個々の動作状態毎の単位時間当たりの使用電力量を予め格納し、タイマ手段の計時する日時情報に基づいて、接続されている負荷の個々の動作状態毎の動作時間を稼働状態記憶手段に記憶し、操作手段での表示指示操作に応じて、当該稼働状態記憶手段に記憶している動作時間と単位電力量記憶手段の使用電力量に基づいて各負荷の個々の動作状態毎の稼働使用電力量を演算して積算し、稼働状態記憶手段に記憶するとともに、表示手段に当該稼働使用電力量を表示出力するので、従来のように高価な電流検出計を用いることなく、安価に使用電力量の目安を使用者に提供することができ、使用電力量の管理を安価に行うことができる。
【００１４】
請求項２記載の発明の画像形成装置は、操作手段の指示操作に応じて、個々の負荷の動作に基づいて少なくとも画像を用紙に記録出力する画像形成動作を行う画像形成装置において、予め接続可能な負荷及び既に接続されている負荷の個々の動作状態を所定の動作状態毎に分別して当該分別された動作状態毎の単位時間当たりの使用電力量が予め格納されている単位電力量記憶手段と、日時を計時するタイマ手段と、所定の表示手段と、稼働時間と積算された稼働使用電力量を記憶する稼働状態記憶手段と、前記タイマ手段の計時する日時情報に基づいて接続されている負荷の前記分別された動作状態毎の動作時間を前記稼働状態記憶手段に記憶し、前記操作手段での表示指示操作に応じて、当該稼働状態記憶手段に記憶している前記負荷の分別された動作状態毎の動作時間と前記単位電力量記憶手段の使用電力量に基づいて各負荷の個々の分別された動作状態毎の稼働使用電力量を演算して積算し、前記稼働状態記憶手段に記憶するとともに、前記表示手段に当該稼働使用電力量を表示出力する制御手段と、を備えることにより、上記目的を達成している。
【００１５】
上記構成によれば、操作手段の指示操作に応じて、個々の負荷の動作に基づいて少なくとも画像を用紙に記録出力する画像形成動作を行うに際して、単位電力量記憶手段に、接続可能な負荷及び既に接続されている負荷の個々の動作状態を所定の動作状態毎に分別して当該分別された動作状態毎の単位時間当たりの使用電力量を予め格納し、タイマ手段の計時する日時情報に基づいて、接続されている負荷の分別された動作状態毎の動作時間を稼働状態記憶手段に記憶し、操作手段での表示指示操作に応じて、当該稼働状態記憶手段に記憶している負荷の分別された動作状態毎の動作時間と単位電力量記憶手段の使用電力量に基づいて各負荷の個々の分別された動作状態毎の稼働使用電力量を演算して積算し、稼働状態記憶手段に記憶するとともに、表示手段に当該稼働使用電力量を表示出力するので、従来のように高価な電流検出計を用いることなく、安価に使用電力量の目安を簡略化して使用者に提供することができ、使用電力量の管理を安価にかつ容易に行うことができる。
【００１６】
請求項３記載の発明の画像形成装置は、操作手段の指示操作に応じて、個々の負荷の動作に基づいて少なくとも画像を用紙に記録出力する画像形成動作を行う画像形成装置において、予め接続可能な負荷及び既に接続されている負荷の個々の動作状態を所定の動作状態毎に分別して当該分別された動作状態毎の単位時間当たりの使用電力量及び分別不可能な負荷の個々の動作状態毎の単位時間当たりの使用電力量が予め格納されている単位電力量記憶手段と、日時を計時するタイマ手段と、所定の表示手段と、稼働時間と積算された稼働使用電力量を記憶する稼働状態記憶手段と、前記タイマ手段の計時する日時情報に基づいて接続されている負荷の前記分別された動作状態毎の動作時間と前記分別不可能な負荷の動作状態毎の動作時間を前記稼働状態記憶手段に記憶し、前記操作手段での表示指示操作に応じて、当該稼働状態記憶手段に記憶している前記負荷の分別された動作状態毎の動作時間と前記分別不可能な負荷の動作状態毎の動作時間及び前記単位電力量記憶手段の使用電力量に基づいて各負荷の個々の分別された動作状態毎及び分別不可能な負荷の動作状態毎の稼働使用電力量を演算して積算し、前記稼働状態記憶手段に記憶するとともに、前記表示手段に当該稼働使用電力量を表示出力する制御手段と、を備えることにより、上記目的を達成している。
【００１７】
上記構成によれば、操作手段の指示操作に応じて、個々の負荷の動作に基づいて少なくとも画像を用紙に記録出力する画像形成動作を行うに際して、単位電力量記憶手段に、接続可能な負荷及び既に接続されている負荷の個々の動作状態を所定の動作状態毎に分別して当該分別された動作状態毎の単位時間当たりの使用電力量及び分別不可能な負荷の個々の動作状態毎の単位時間当たりの使用電力量を予め格納し、タイマ手段の計時する日時情報に基づいて、接続されている負荷の分別された動作状態毎の動作時間と分別不可能な負荷の動作状態毎の動作時間を稼働状態記憶手段に記憶し、操作手段での表示指示操作に応じて、当該稼働状態記憶手段に記憶している負荷の分別された動作状態毎の動作時間と分別不可能な負荷の動作状態毎の動作時間及び単位電力量記憶手段の使用電力量に基づいて各負荷の個々の分別された動作状態毎及び分別不可能な負荷の動作状態毎の稼働使用電力量を演算して積算し、稼働状態記憶手段に記憶するとともに、表示手段に当該稼働使用電力量を表示出力するので、従来のように高価な電流検出計を用いることなく、安価に使用電力量の目安を簡略化してかつ高精度に使用者に提供することができ、使用電力量の管理を安価にかつ適切に行うことができる。
【００１８】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１９】
図１は、本発明の画像形成装置の一実施の形態を適用した画像形成装置１の概略ブロック構成図である。
【００２０】
図１において、画像形成装置１は、操作部２、各種センサ３、搬送駆動部４、光源部５、画像形成部６、定着部ヒータ７、除湿ヒータ８、電源部９、電源スイッチ１０、電源プラグ１１及び制御部２０等を備え、制御部２０は、ＣＰＵ（Ｃｅｎｔｒａｌ  Ｐｒｏｃｅｓｓｉｎｇ  Ｕｎｉｔ  ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、タイマ２４及びＩ／Ｏ２５等を備えている。
【００２１】
操作部（操作手段）２は、画像形成装置１の動作を指示操作する各種キーと、ＬＣＤ（Ｌｉｑｕｉｄ  Ｃｒｙｓｔａｌ  Ｄｉｓｐｌａｙ）等の表示部（表示手段）を備え、ユーザは、操作部２のキーを操作することで、画像形成装置１の動作設定及び操作指示、特に、電力使用量の表示指示を行い、表示部には、制御部２０の制御下で、操作部２から入力操作された内容や画像形成装置１の動作状態等の各種情報、特に、使用電力量の情報が表示される。
【００２２】
各種センサ３は、画像形成装置１の各種動作状態を検出して、Ｉ／Ｏ２５を介して制御部２０に出力する。
【００２３】
搬送駆動部４は、制御部２１の制御下で、用紙を用紙収納部から画像形成部６に搬送し、画像形成部６で画像の形成された用紙を排紙トレイまで搬送する搬送機構を動作させる。
【００２４】
光源部５は、画像形成部６の光書込部の半導体レーザ等の光源や図示しない接続可能な負荷としてのスキャナ部の走査光学系の照明ランプ及び点灯／消灯することで画像形成装置１の動作状態を通知するランプ等を総称したものである。
【００２５】
画像形成部６は、電子写真方式の画像形成部であり、制御部２１の制御下で動作して、コンピュータやスキャナ等の外部機器から入力される画像データに基づいて、光源部５の半導体レーザから搬送駆動部４により回転駆動される感光体にレーザビームを照射することで静電潜像を形成して、当該静電潜像にトナーを付着させてトナー画像を形成して、当該トナー画像を用紙収納部から搬送されてきた用紙に転写することで、画像を形成する。
【００２６】
定着部ヒータ７は、画像形成部６のトナー画像の転写された用紙を、加熱・加圧してトナー画像を用紙に定着させる定着部の定着ローラを加熱するものであり、制御部２０の制御下で通電制御される。
【００２７】
除湿ヒータ８は、制御部２０により通電制御され、画像形成装置１の筐体内の除湿を行う。
【００２８】
電源部９には、ユーザが画像形成装置１の電源のオン／オフを行う電源スイッチ（ＳＷ）１０が接続されているとともに、電源プラグ１１が電源コード１２で接続されており、電源プラグ１１が商用の交流電源コンセント３０に差し込まれることで、交流電源が供給される。
【００２９】
電源部９は、商用の交流電源を交流スイッチングして、熱源負荷である定着部ヒータ７と除湿ヒータ８に供給するとともに、交流を直流に変換してＩ／Ｏ２５を介して画像形成装置１の負荷としての操作部２、各種センサ３、搬送駆動部４、光源部５及び画像形成部６等の各部に供給する。
【００３０】
制御部２０のＲＯＭ（単位電力量記憶手段）２２は、画像形成装置１としての基本処理プログラムと後述する使用電力量演算・表示処理プログラム及びこれらの各処理プログラムを実行するのに必要な各種データが格納されている。特に、ＲＯＭ２２には、使用電力量演算・表示処理を実行するのに使用するデータとして、画像形成装置１に接続可能な負荷及び既に接続されている負荷の個々の動作状態毎における単位時間当たりの単位使用電力量、例えば、負荷としての操作部２、各種センサ３、搬送駆動部４、光源部５、画像形成部６、定着部ヒータ７、除湿ヒータ８及び電源部９の動作状態毎の単位使用電力量が格納されている。
【００３１】
ＲＡＭ（稼働状態記憶手段）２３は、ＣＰＵ２１のワークメモリとして利用され、特に、ＣＰＵ２１が、接続されている各負荷の稼働状態を監視して、各負荷の個々の動作状態毎に積算した稼働時間と当該稼働時間とＲＯＭ２２の単位使用電力量から演算した稼働使用電力量を記憶する。すなわち、ＣＰＵ２１は、例えば、負荷としての操作部２、各種センサ３、搬送駆動部４、光源部５、画像形成部６、定着部ヒータ７、除湿ヒータ８及び電源部９の動作状態を監視して、各負荷の積算稼働時間と当該動作状態毎に稼働時間に応じて演算し積算した稼働使用電力量をＲＡＭ２３に格納する。
【００３２】
タイマ（タイマ手段）２４は、発振器と分周器等を備え、時刻、日付の計時を行う。
【００３３】
ＣＰＵ（制御手段）２１は、ＲＯＭ２２内のプログラムに基づいて画像形成装置１の各部を制御して画像形成装置１としての基本処理を実行するとともに、後述する使用電力量演算・表示処理を実行する。
【００３４】
次に、本実施の形態の作用を説明する。画像形成装置１は、各負荷の動作状態毎の稼働状態を監視し、各負荷の動作状態毎の使用電力量を演算して操作部２の表示部に表示するところにその特徴がある。
【００３５】
すなわち、画像形成装置１は、制御部２０のＲＯＭ２２に、各負荷の個々の動作状態毎における単位使用電力量、例えば、負荷としての操作部２、各種センサ３、搬送駆動部４、光源部５、画像形成部６、定着部ヒータ７、除湿ヒータ８及び電源部９の動作状態毎の単位使用電力量が予め格納されている。
【００３６】
そして、ＣＰＵ２１は、電源スイッチ１０がオンされていると、各種センサ３の検出結果等に基づいて、タイマ２４の計時に応じて、接続されている各負荷、例えば、接続されている負荷としての操作部２、各種センサ３、搬送駆動部４、光源部５、画像形成部６と、電源部９に接続されている定着部ヒータ７、除湿ヒータ８及び電源部９の動作状態を監視して、各負荷の動作状態毎の稼働時間を積算して、ＲＡＭ２３に記憶する。
【００３７】
その後、オペレータが操作部２を操作して、電力量の表示を指示すると、ＣＰＵ２１が、ＲＡＭ２３に格納されている各負荷の動作状態毎の積算稼働時間と、ＲＯＭ２２に予め格納されている各負荷の個々の動作状態毎における単位使用電力量に基づいて、稼働使用電力量を演算して積算し、当該積算した各負荷の動作状態毎の稼働使用電力量をＲＡＭ２３に格納するとともに、当該積算した各負荷の動作状態毎の稼働使用電力量を、操作部２の表示部に表示出力する。
【００３８】
ＣＰＵ２１は、この各負荷の動作状態毎の稼働使用電力量を、例えば、操作部２で使用電力量の表示が指示操作されてから現在時点までの稼働使用電力量、１ヶ月毎の稼働使用電力量、１週間毎の稼働使用電力量、１日毎の稼働使用電力量及び使用者が任意に設定した開始と終了までの期間の稼働使用電力量等を表示する。
【００３９】
このように、本実施の形態の画像形成装置１は、ＲＯＭ２２に、接続可能な負荷及び既に接続されている負荷の個々の動作状態毎の単位時間当たりの単位使用電力量を予め格納し、タイマ２４の計時する日時情報に基づいて、接続されている負荷の個々の動作状態毎の動作時間をＲＡＭ２３に記憶し、操作部２での表示指示操作に応じて、当該ＲＡＭ２３に記憶している動作時間とＲＯＭ２２の単位使用電力量に基づいて各負荷の個々の動作状態毎の稼働使用電力量を演算して積算し、ＲＡＭ２３に記憶するとともに、操作部２の表示部に当該稼働使用電力量を表示出力している。
【００４０】
したがって、従来のように高価な電流検出計を用いることなく、安価に使用電力量の目安を使用者に提供することができ、使用電力量の管理を安価に行うことができる。
【００４１】
なお、上記説明では、各負荷の動作状態毎の稼働使用量を算出して表示しているが、演算して表示する稼働使用電力量としては、これに限るものではなく、例えば、負荷の所定の動作状態毎に分別された使用電力量を動作時間毎に積算して稼働使用電力量として表示してもよい。
【００４２】
この場合、画像形成装置１は、その制御部２０のＲＯＭ２２に、接続可能及び既に接続されている負荷を、電源投入から動作可能まで、待機時、コピー時、プリント動作時、スキャナ動作時、ファクシミリ動作時及び所定の動作状態等毎に分別し、当該分別された所定の動作状態毎の単位使用電力量が予め格納されている。
【００４３】
そして、電源スイッチ１０がオンの状態において、ＣＰＵ２１が各負荷の動作状態を監視して、所定の動作状態毎に分別された動作時間をタイマ２４で刻んで積算してＲＡＭ２３に記憶し、操作部２で稼働使用電力量の表示が指示操作されると、当該ＲＡＭ２３に格納されている各負荷の動作状態毎に分別された積算稼働時間と、ＲＯＭ２２に予め格納されている各負荷の個々の分別された動作状態毎における単位使用電力量に基づいて、分別された動作状態毎の稼働使用電力量を演算して積算し、当該積算した各負荷の分別された動作状態毎の稼働使用電力量をＲＡＭ２３に格納するとともに、当該積算した各負荷の分別された動作状態毎の稼働使用電力量を、操作部２の表示部に表示出力する。
【００４４】
ＣＰＵ２１は、この各負荷の分別された動作状態毎の稼働使用電力量を、例えば、操作部２で使用電力量の表示が指示操作されてから現在時点までの稼働使用電力量、１ヶ月毎の稼働使用電力量、１週間毎の稼働使用電力量、１日毎の稼働使用電力量及び使用者が任意に設定した開始と終了までの期間の稼働使用電力量等を表示する。
【００４５】
このようにすると、従来のように高価な電流検出計を用いることなく、安価に使用電力量の目安を簡略化して使用者に提供することができ、使用電力量の管理を安価にかつ容易に行うことができる。
【００４６】
また、演算して表示する稼働使用電力量としては、例えば、各負荷について分別された動作状態毎と分別不可能な動作状態とに分けて稼働時間を積算して、稼働使用電力量を積算し、表示してもよい。
【００４７】
この場合、画像形成装置１は、その制御部２０のＲＯＭ２２に、接続可能及び既に接続されている負荷を、電源投入から動作可能まで、待機時、コピー時、プリント動作時、スキャナ動作時、ファクシミリ動作時及び所定の動作状態等毎に分別し、当該分別された所定の動作状態毎の単位使用電力量が格納されているとともに、所定の動作を行わず分別不可能な負荷についての個々の動作状態毎の単位使用電力量が予め格納されている。
【００４８】
そして、電源スイッチ１０がオンの状態において、ＣＰＵ２１が各負荷の動作状態を監視して、所定の動作状態毎に分別された動作時間及び所定の動作を行わない分別不可能な負荷の個々の動作状態毎の動作時間をタイマ２４で刻んで積算してＲＡＭ２３に記憶し、操作部２で稼働使用電力量の表示が指示操作されると、当該ＲＡＭ２３に格納されている各負荷の動作状態毎に分別された積算稼働時間及び所定の動作を行わない分別不可能な負荷の個々の動作状態毎の動作時間と、ＲＯＭ２２に予め格納されている各負荷の個々の分別された動作状態毎における単位使用電力量及び所定の動作を行わない分別不可能な負荷の個々の動作状態毎の単位使用電力量に基づいて、分別された動作状態毎の稼働使用電力量と分別不可能な負荷の動作状態毎の稼働使用電力量を演算して積算し、当該積算した各負荷の分別された動作状態毎の稼働使用電力量と分別不可能な負荷の動作状態毎の稼働使用電力量をＲＡＭ２３に格納するとともに、当該積算した各負荷の分別された動作状態毎の稼働使用電力量と分別不可能な負荷の動作状態毎の稼働使用電力量を、操作部２の表示部に表示出力する。
【００４９】
ＣＰＵ２１は、この各負荷の分別された動作状態毎の稼働使用電力量及び分別不可能な負荷の動作状態毎の稼働使用電力量を、例えば、操作部２で使用電力量の表示が指示操作されてから現在時点までの稼働使用電力量、１ヶ月毎の稼働使用電力量、１週間毎の稼働使用電力量、１日毎の稼働使用電力量及び使用者が任意に設定した開始と終了までの期間の稼働使用電力量等を表示する。
【００５０】
このようにすると、従来のように高価な電流検出計を用いることなく、安価に使用電力量の目安を簡略化してかつ高精度に使用者に提供することができ、使用電力量の管理を安価にかつ適切に行うことができる。
【００５１】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５２】
【発明の効果】
請求項１記載の発明の画像形成装置によれば、操作手段の指示操作に応じて、個々の負荷の動作に基づいて少なくとも画像を用紙に記録出力する画像形成動作を行うに際して、単位電力量記憶手段に、接続可能な負荷及び既に接続されている負荷の個々の動作状態毎の単位時間当たりの使用電力量を予め格納し、タイマ手段の計時する日時情報に基づいて、接続されている負荷の個々の動作状態毎の動作時間を稼働状態記憶手段に記憶し、操作手段での表示指示操作に応じて、当該稼働状態記憶手段に記憶している動作時間と単位電力量記憶手段の使用電力量に基づいて各負荷の個々の動作状態毎の稼働使用電力量を演算して積算し、稼働状態記憶手段に記憶するとともに、表示手段に当該稼働使用電力量を表示出力するので、従来のように高価な電流検出計を用いることなく、安価に使用電力量の目安を使用者に提供することができ、使用電力量の管理を安価に行うことができる。
【００５３】
請求項２記載の発明の画像形成装置によれば、操作手段の指示操作に応じて、個々の負荷の動作に基づいて少なくとも画像を用紙に記録出力する画像形成動作を行うに際して、単位電力量記憶手段に、接続可能な負荷及び既に接続されている負荷の個々の動作状態を所定の動作状態毎に分別して当該分別された動作状態毎の単位時間当たりの使用電力量を予め格納し、タイマ手段の計時する日時情報に基づいて、接続されている負荷の分別された動作状態毎の動作時間を稼働状態記憶手段に記憶し、操作手段での表示指示操作に応じて、当該稼働状態記憶手段に記憶している負荷の分別された動作状態毎の動作時間と単位電力量記憶手段の使用電力量に基づいて各負荷の個々の分別された動作状態毎の稼働使用電力量を演算して積算し、稼働状態記憶手段に記憶するとともに、表示手段に当該稼働使用電力量を表示出力するので、従来のように高価な電流検出計を用いることなく、安価に使用電力量の目安を簡略化して使用者に提供することができ、使用電力量の管理を安価にかつ容易に行うことができる。
【００５４】
請求項３記載の発明の画像形成装置によれば、操作手段の指示操作に応じて、個々の負荷の動作に基づいて少なくとも画像を用紙に記録出力する画像形成動作を行うに際して、単位電力量記憶手段に、接続可能な負荷及び既に接続されている負荷の個々の動作状態を所定の動作状態毎に分別して当該分別された動作状態毎の単位時間当たりの使用電力量及び分別不可能な負荷の個々の動作状態毎の単位時間当たりの使用電力量を予め格納し、タイマ手段の計時する日時情報に基づいて、接続されている負荷の分別された動作状態毎の動作時間と分別不可能な負荷の動作状態毎の動作時間を稼働状態記憶手段に記憶し、操作手段での表示指示操作に応じて、当該稼働状態記憶手段に記憶している負荷の分別された動作状態毎の動作時間と分別不可能な負荷の動作状態毎の動作時間及び単位電力量記憶手段の使用電力量に基づいて各負荷の個々の分別された動作状態毎及び分別不可能な負荷の動作状態毎の稼働使用電力量を演算して積算し、稼働状態記憶手段に記憶するとともに、表示手段に当該稼働使用電力量を表示出力するので、従来のように高価な電流検出計を用いることなく、安価に使用電力量の目安を簡略化してかつ高精度に使用者に提供することができ、使用電力量の管理を安価にかつ適切に行うことができる。
【図面の簡単な説明】
【図１】
本発明の画像形成装置の一実施の形態を適用した画像形成装置の要部ブロック構成図。
【符号の説明】
１  画像形成装置
２  操作部
３  各種センサ
４  搬送駆動部
５  光源部
６  画像形成部
７  定着部ヒータ
８  除湿ヒータ
９  電源部
１０  電源スイッチ
１１  電源プラグ
２０  制御部
２１  ＣＰＵ
２２  ＲＯＭ
２３  ＲＡＭ
２４  タイマ
２５  Ｉ／Ｏ
【図１】
2004276244.tif 000003